(57)【要約】【課題】  所定の比率で濃縮液と水とを供給する。【解決手段】  ディスペンサーはエンコーダー付きのギヤヘッドモーターにより駆動される蠕動ポンプを備える。可搬式の水管路内の量水器が比率を管理するためのポンプ速度を制御する制御システムに情報を送る。各包装体について使用する比率を制御システムに告げるために、比率カードがドアのスロット内に挿入される。取外し可能な水ノズルが混合を改善する。可搬式の水冷却用コイルは蒸発器コイルの上方にあって、水槽からこれだけを外すことができる。【選択図】    図１
2006044803.tif 000002
【特許請求の範囲】
【請求項１】
（ａ）ハウジング、
（ｂ）氷水浴を保持するための前記ハウジング内の水浴タンク、
（ｃ）前記タンク内でアイスバンクを形成するための前記ハウジング内の冷凍システム、（ｄ）前記タンク内に置かれた水冷却用コイルを有する前記ハウジング内の水回路、
（ｅ）各が柔軟な分配用チューブを有する形式の取外し可能な濃縮液包装体の保持に適した複数の濃縮液包装体ステーションを備えた前記ハウジング内の濃縮液区画、
（ｆ）前記ハウジング内の複数の濃縮液圧送用ユニット、
（ｇ）各がエンコーダー付きの可変速ギヤヘッドモーターにより駆動される蠕動ポンプを有する前記濃縮液圧送用ユニット、
（ｈ）電磁弁／量水器組立体を有する前記水回路、
（ｉ）水対濃縮液の希望の比率を提供するために前記モーターの速度を変えるために前記量水器からの信号を受ける前記ハウジング内の制御システム、
（ｊ）前記区画内に置かれた濃縮液包装体の各の製品の希望の水対濃縮液比率を前記制御システム内に入力するための手段を具備し、
（ｋ）前記入力手段が、各濃縮包装体についての抜き出し可能な比率カード、前記濃縮液包装体ステーションの各に１個の対応した前記ハウジングの個別スロット、及び前記比率カードに記憶された比率を読み取るための手段を有する前記制御システムを備えるポストミックス式飲料ディスペンサー。
【請求項２】
（ａ）ハウジング、
（ｂ）氷水浴を保持するための前記ハウジング内の水浴タンク、
（ｃ）前記タンク内でアイスバンクを形成するための前記ハウジング内の冷凍システム、（ｄ）前記タンク内に置かれた水冷却用コイルを有する前記ハウジング内の水回路、
（ｅ）各が柔軟な分配用チューブを有する形式の取外し可能な濃縮液包装体の保持に適した複数の濃縮液包装体ステーションを備えた前記ハウジング内の濃縮液区画、
（ｆ）前記ハウジング内の複数の濃縮液圧送用ユニット、
（ｇ）エンコーダー付きの可変速ギヤヘッドモーターにより駆動される蠕動ポンプを有する前記濃縮液圧送用ユニット、
（ｈ）電磁弁／量水器組立体を有する前記水回路、
（ｉ）水対濃縮液の希望の比率を提供するために前記モーターの速度を変えるために前記量水器からの信号を受けている前記ハウジング内の制御システム、
（ｊ）前記区画を冷却するためのシステムであって、前記区画内に置かれた区画冷却用コイル、前記区画冷却用コイルを通して前記区画内の空気を循環させるためのファン／モーターユニット、前記水浴タンク内のポンプ、前記ポンプから前記区画冷却用コイルに伸びている入口導水管及び前記区画冷却用コイルから前記タンクに伸びている出口導水管を備えた前記システムを具備し、
（ｋ）前記両導管が前記冷凍デッキの下方にあるか又は断熱材内に埋設され、これにより前記導水管はどちらも、前記タンク内に戻らずにどこかで凝結し結露し滴下させることがないポストミックス式飲料ディスペンサー。
【請求項３】
（ａ）ハウジング、
（ｂ）氷水浴を保持するための前記ハウジング内の水浴タンク、
（ｃ）前記タンク内でアイスバンクを形成するための前記ハウジング内の冷凍システム、（ｄ）前記タンク内に置かれた水冷却用コイルを有する前記ハウジング内の水回路、
（ｅ）各が柔軟な分配用チューブを有する形式の取外し可能な濃縮液包装体の保持に適した複数の濃縮液包装体ステーションを備えた前記ハウジング内の濃縮液区画、
（ｆ）前記ハウジング内の複数の濃縮液圧送用ユニット、（ｇ）各がエンコーダー付きの可変速ギヤヘッドモーターにより駆動される蠕動ポンプを有する前記濃縮液圧送用ユニッ
ト、
（ｈ）電磁弁／量水器組立体を有する前記水回路、
（ｉ）水対濃縮液の希望の比率を提供するために前記モーターの速度を変えるために前記量水器からの信号を受けている前記ハウジング内の制御システム、及び
（ｊ）前記水冷却用コイルからそれぞれの前記濃縮液圧送用ユニットに隣接した末端に伸びている複数の出口導水管路であって、前記出口導水管路の各がその全長を通じて前記水浴タンク、前記区画又は断熱体の中のいずれかを通って伸び、これにより前記全長が保冷される前記出口導水管路を具備したポストミックス式飲料ディスペンサー。
【請求項４】
（ａ）ハウジング、
（ｂ）氷水浴を保持するための前記ハウジング内の水浴タンク、
（ｃ）前記タンク内でアイスバンクを形成するための前記ハウジング内の冷凍システム、（ｄ）前記タンク内に置かれた水冷却用コイルを有する前記ハウジング内の水回路、
（ｅ）各が柔軟な分配用チューブを有する形式の取外し可能な濃縮液包装体の保持に適した複数の濃縮液包装体ステーションを備えた前記ハウジング内の濃縮液区画、
（ｆ）前記ハウジング内の複数の濃縮液圧送用ユニット、
（ｇ）各がエンコーダー付きの可変速ギヤヘッドモーターにより駆動される蠕動ポンプを有する前記濃縮液圧送用ユニット、
（ｈ）電磁弁／量水器組立体を有する前記水回路、
（ｉ）水対濃縮液の希望の比率を提供するために前記モーターの速度を変えるために前記量水器からの信号を受けている前記ハウジング内の制御システム、及び
（ｊ）前記区画内に置かれた濃縮液包装体の各の製品の希望の水対濃縮液比率を前記制御システムに入力する手段を具備したポストミックス式飲料ディスペンサー。
【発明の詳細な説明】
【技術分野】
【０００１】
本発明はポストミックス式飲料ディスペンサーに関する。
【背景技術】
【０００２】
茶、コーヒー、ジュースなどのような飲料を要求に応じて希望の比率で濃縮液と水とを混合しかつ分配するためのディスペンサーがよく知られている。かかるディスペンサーは、水浴タンク及びタンク内でアイスバンクを形成するための冷凍システムを備える。可搬式の水回路が水槽内に冷却用コイルを備える。濃縮液を保持するために、冷却された濃縮液区画が設けられる。ある一つの公知の配列においては、この区画は、柔軟な分配用チューブを有するバッグインボックス（ＢＩＢ）包装体である。このチューブは、蠕動ポンプを通って案内される。飲料を分配すべき場合は、この蠕動ポンプと可搬式の水回路内の電磁弁とが飲料を分配するように同時にスイッチを入れられる。
【発明の開示】
【発明が解決しようとする課題】
【０００３】
茶、コーヒー、ジュースなどを分配するためのポストミックス式飲料ディスペンサーは、ハウジング、水槽内でアイスバンクを形成するための冷凍システム、水槽内に冷却用コイルを有する冷却システム、複数の飲料のためのバッグインボックスク区画、濃縮液用の冷却システム、各がエンコーダー付きギヤヘッドモーターにより駆動される蠕動ポンプを持った複数の濃縮液圧送用ユニット、可搬式水回路内の量水器、及び量水器からの信号を受けるため、及び希望の水対濃縮液の比率を提供するようにこれに応答してモーター速度を制御するための制御システムを備える。
【課題を解決するための手段】
【０００４】
本発明は、各飲料について特有の比率カードを備え、このカードはディスペンサーのスロット内に挿入される。ディスペンサー制御システムが、各ＢＩＢ包装に対して使用すべき比率に関するカード上の情報を読み取る。本発明は、ＢＩＢ区画用の改良された冷却システム、容易に上げて出せる可搬式の水コイル、改良された可搬式水回路による改良された日常的な飲み物としての能力、改良された水ノズル、蠕動モーター用へのステップモーターではないより強力なギヤモーターの使用、ディスペンサーの前面から主要構成要素のサービスが可能な配列、及び水浴タンク、ＢＩＢ区画、複数の導水管路、及びこれらを囲む断熱層を含んだ一体型の構造組立体、並びにかかる副組立体を作る方法を含む。
【実施例】
【０００５】
本発明は付属図面に関連して読まれたときに以下の詳細な説明からより完全に理解されるであろう。図面において、同様な部材は同様な番号で呼ばれる。
【０００６】
さて図面を参照すれば、本発明のポストミックス式飲料ディスペンサー１０は、ハウジング１２、水浴タンク１３、タンク１３内でアイスバンクを形成するための冷凍システム１４、可搬式の水回路１６、複数の濃縮液包装体２０を保持するための区画１８、複数の濃縮液圧送用ユニット２２、制御システム２４、及び区画冷却システム２６を備える。
【０００７】
図１を参照すれば、ハウジング１２は、濃縮液区画に接近するために左側にヒンジ止めされた前ドア３０を備える。ハウジングは、ドリップトレイ３２、及び各が小、中、大と例えば「注ぐ／取消し」を含んだ好ましくは３組の分配用ボタン３４を備える。ドアの前面には後方から照明された取り外し可能なグラフィックスパネル３６が設けられる。
【０００８】
図４を参照すれば、水浴タンク１３は水で実質的に満たされ、冷凍システム１４は、蒸発器コイルのまわりにアイスブロックを作るために，本技術においてよく知られるように、通常の蒸発器コイル４０、圧縮機４２、凝結器４４及びファンモーター４６を備える。タンクの頂部に棚又はデッキ４７が置かれ、撹拌器モーター４８を支持する。撹拌器の軸４９がモーターから水槽内に下方に伸び撹拌器プロペラ４５に至る。区画１８内の冷却用コイル１００のためのポンプ１０４も軸４９上にある。デッキ４７は、モーター４８、軸４９などと一緒に真っすぐ上に上げることができる。
【０００９】
主に図４を参照すれば、可搬式の水回路１６は、蒸発器コイル４０の上方でタンク１３内に置かれた冷却用コイル５０を備える。コイル５０の入口端は継手１４６により管路５１を経て局所的給水源に連結される。水の導管１６は、コイル５０の出口の継手１４８からマニホルド５４に伸びている冷却水管路５２を含む。区画１８内の３個の濃縮液包装体ステーション５８に対応する３個の個別管路５６がマニホルドから伸びる。各管路５６は、まず、電磁石（ソレノイド）／量水器（ｓｏｌｅｎｏｉｄ／ｗａｔｅｒ ｆｌｏｗ ｍｅｔｅｒ）組立体６０（図２及び４参照）に行き、次いで対応している圧送用ユニットに隣接した雌の取付具６２に行く。コイル５０は、継手１４６及び１４８を外すことにより、蒸発器コイルから外す必要なしにタンク１３から引き上げることができる。
【００１０】
取外し可能なノズル６４（図５、７、８及び９も参照）が取付具６２内に差し込まれる。ノズルは、水流を、中心の濃縮液の流れの方に内向きに曲がる複数の分離流に分割する。ノズル６４は、通路６６及び複数の等間隔で同心状に配置されたポート６８を持つ。ノズルは中央開口７０及び濃縮液包装体２０のチューブ７４用のアクセススロット７２を持つ。ノズル６４は１対の可撓性のアーム７６を有し、その各はその外面に固定用ショルダーを持ち、これらアームは、挿入中は内向きに曲がり、解放されると広がってノズルを定位置に固定する。ノズル６４は、定位置に曲げられたカバー７７を持つ。図７は、ポート６８をよく示すためにカバー７７を外してノズル６４を示す。
【００１１】
主に図２−４を参照すれば、区画１８は、ドア３０を開くことにより接近できる。これは、冷却システム２６により冷却される。包装体２０は定位置に滑らされ、以下説明されるように、分配用チューブが圧送用ユニット２２を通して差し込まれる。比率カード７８がドア３０の背面のスロット７９内に挿入され、制御システム２４に、包装体内の製品に対する水対濃縮液の比率を告げる。図２に見られるように、電磁石／量水器組立体６０は、区画１８の背後に置かれているため、ディスペンサーの正面から接近することができる。
【００１２】
濃縮液包装体２０は、段ボール箱の内部に柔軟な潰れ得るプラスチックの袋を備えている使捨て式のバッグインボックス包装であることが好ましい。この袋は取付け具を有し、これに柔軟で先端の閉じられた分配用チューブ７４が取り付けられる。チューブ７４が圧送用ユニット及び遮断具８０を通して取り付けられた後、閉鎖端部が切り取られ、要求に応じて分配することができる。
【００１３】
図４を参照すれば、ハウジング１２は除去可能な跳ね除け板１１を有し、その後ろ側に制御システム２４の電子機器の多くを含んだ制御箱が置かれる。
【００１４】
主に図５を参照すれば、圧送用ユニット２２は、エンコーダー８６を有するギヤモーター８４により駆動される蠕動ポンプ８２を備える。上の圧送用ユニットは、バネで押されて揺れる前板９０を有する公知のチューブ案内８８（図２及び６参照）である。圧送用ユニット２２の下方は、旋回可能な固定用ラッチ９４を有する前ドア９２のある公知の電磁作動式の管を挟む遮断具８０である。
【００１５】
図４を最もよく参照すれば、区画冷却システム２６は、区画１８の頂部に置かれた区画冷却用コイル１００、コイル１００を通りかつ区画をまわって空気を循環させるファン／モーターユニット１０２、水槽内に置かれかつ軸４９により駆動されるポンプ１０４、ポンプ１０４からコイル１００に至る水の入口管路１０６、及びコイルからタンクへの水の戻り管路１０８を備える。管路１０６及び１０８は、常に断熱されているか又はタンク１３内にあり、このため、水がタンク１３内に戻らないでどこかで結露し滴下することはない。従来のディスペンサーにおいては、これらの管路はデッキ１１０の上方の空気中にあり有害な結露と滴下とが生じた。
【００１６】
図１０は、デッキ４７、モーター４８、軸４９、及びポンプ１０４を示している冷凍デッキの分解図である。
【００１７】
図１１は撹拌器のプロペラ４５及びポンプ１０４に連結された軸４９を示す。
【００１８】
図１２は図１３の線１２−１２に沿って得られた正面断面図である。図１２は、区画１８、水入口管路５１、マニホルド５４、マニホルドから３個の継手６２に至る３本の管路５６を示す。管路５６の電磁石／量水器組立体を含んだ部分は示されない。
【００１９】
図１３は図１２の線１３−１３に沿って得られた側面断面図である。図１３は、区画１８、タンク１３、水の入口管路５１、水の出口管路５６、及びそれぞれ水の入口管路５１、水の出口管路５２に至る継手１４６及び１４８を示す。
【００２０】
本発明の一態様は図１２及び１３に示される構造的副組立体１３４及びこれを作る方法である。これは、分離して形成された２個の部材、タンク１３と区画１８とを含み、これらは１３０において接合され、次いで種々の導管が取り付けられ、更に断熱層１３２が定位置に形成される。これは、多くの利点の中でも、ディスペンサー１０の組立中、その個別部品を別々に扱うのではなくただ１個のユニットとして扱えること、並びに冷却用コイル５０から継手６２に至る水の管路がその全長にわたって断熱されるか又は冷却された区画１８内に置かれるため、優れた日常的な飲み物としての能力を提供する。
【００２１】
図１４−１７は、ドア３０、後方から照明されたグラフィックスパネル３６、及び比率カード７８を受け入れるための３個のスロット７９を示す。各スロット７９は、ドアの内側に取り付けられたカード受け１２６の内側に置かれる。ＰＣ板１１２がカード受けに隣接したドア内側のピン１２８に取り付けられる。このＰＣ板は、５対の送信ピン１２０と受信ピン１２２を３組有し、これらのピンはＰＣ板から突き出して、カード受けの端部の溝１２３内に伸びる。比率カード７８は、カードホルダー１１４及び可撓性で取り外し得るカード１１６を持つ。可撓性のカードは僅かに曲げられ、そしてカードホルダーに差し込まれ、カードホルダーの両側の凹所の下で平らに戻り、カードを定位置に保持する。各カードは、一定の製品に対応した１個又は複数の穴１２４を持つ。カードが挿入されると、（カード１１６の穴に対応した）受信ピンだけがＩＲ放射を受け、この製品に対する比率が何であるかを制御システムに告げる。即ち、制御回路がどの程度の水量が流れているかの情報を量水器から受け取ったとき、制御回路は、水に対する製品の希望の比率を提供するように蠕動ポンプモーター８４の速度を制御するであろう。
【００２２】
カードホルダー１１４は、比率カードを定位置に保持するために、１対の可撓性アーム１４０及び１４２を持つ。カードホルダー１１４は５個の穴を有し、カード１１６は５個までの適宜の数及び配列の穴を持つ。各カード１１６は、各側に１種ずつ２種の異なった製品比率用に使用できることが好ましい。即ち、カードを裏返すことにより異なった配列の穴の配列が提供される。
【００２３】
作業の際は、ドア３０が開かれ、包装体２０が区画１８内に差し込まれる。包装体はチューブ７４がぶら下がるような向きにされる。板９０が開かれ、チューブが定位置に案内され、そして板が閉じられる。次いで、固定用ノブ１５０を引き出して湾曲板１５２をヒンジ１５４まわりに右に動かすことによりチューブがポンプ８２を通して案内される。次いでこの板が戻されノブを再固定することができる。次に、チューブは遮断具８０及びノズル７０を通して案内され、閉鎖端部が鋏で切り落とされる。遮断具はラッチ９４を廻してドア９２を開くことにより開かれる。公知のように、ドア９２の背面のフィンガー（図示せず）が電磁作動式のフィンガーに当たり、チューブを絞って閉鎖する。飲料をコップ８内に分配するときは、電磁石（図示せず）が第２のフィンガーを引き戻してチューブを開くことができる。
【００２４】
図１８及び１９は、制御システム２４のブロック図を示す。電子回路は、互いに接続された次の４個の印刷回路板（ＰＣ板）より構成される。即ち、１）ハウジング１２の内側で跳ね除け板１１の上方に置かれた制御板 １６０、２）ドア３０の内側に置かれたドアボード１１２、３）変圧器箱の内側に置かれたリレー板、４）冷凍デッキ４７上に置かれたアイスバンク制御板１６２である。
【００２５】
制御板１６０は、フィールドプログラマブルゲートアレイ（ＦＰＧＡ）、（パワーアップの際、ＦＰＧＡプログラムをロードする）直列ＥＥＰＲＯＭ、システムの作動変数を記憶する非揮発性ＳＲＡＭ、及びポンプモーター８４、遮断具後方の絞り用電磁石、水ポンプ、電磁石／量水器組立体６０の水用電磁石、及びドア告知器を制御する種々の周辺回路とリンクされた常駐メモリを有するオンボードマイクロプロセッサー（μＰ）を持つ。制御板への入力は、ドア部材スイッチ（前及び後）、比率カード７８、低水位信号、電磁石／量水器組立体６０の量水器、及びポンプエンコーダー８６からくる。更に、（弁当たり１個の）３個の直列通信ポートが制御板に置かれて、分配比率、製品の低液位パラメーター、分配量などの特性を変更するためにハンドヘルド（ｈａｎｄｈｅｌｄ）プログラマーがμＰとリンクすることを許す。制御板は、ハードワイヤーケーブル接続を介して、システム内の他の総てのＰＣ板、ポンプモーター／エンコーダー、量水器、及び水用電磁石に接続される。
【００２６】
制御板１６０は、リレー板からの交流７．５Ｖ電力を変換する直流＋５Ｖ調整器回路を備える。制御板の前面の緑のＬＥＤが、直流＋５Ｖ電力の存否を示す。更に、リレー板からの交流２４Ｖは、２個のブリッジダイオードモジュールにより直流に変換される。赤のＬＥＤはポンプモーター８４及び水用電磁石を駆動する（未調整の）直流＋２４Ｖ電力の存在を示す。
【００２７】
ドアボード１１２は、ＦＰＧＡ、（ＦＰＧＡモニター用の）８ビットの小さいμＰ、（パワーアップの際、ＦＰＧＡプログラムをロードする）直列ＥＥＰＲＯＭ、及び赤外線式比率カード読取り器、（ディスプレイパネル３６用の）蛍光灯駆動用電子回路、ＬＥＤ告知器、及び組み合わせられた押ボタンスイッチ回路のような種々の周辺回路よりなる。ドアボード１１２と制御板１６０との間の総ての通信は２本線の直列リンクを経由する。
【００２８】
リレー板は、絞り用電磁石及び水ポンプ用の高圧スイッチとして作動する。更に、リレー板は１次交流電源入力から変圧器箱内の電力用変圧器及び圧縮機デッキに電力を与える。またリレー板は交流電力変圧器の低圧側から制御板１６０への接続もする。
【００２９】
アイスバンク制御板１６２は、公知の方式で水槽内のアイスバンクの電気的に検知されたサイズに基づいて冷凍用圧縮機のスイッチを開閉する自立式制御板である。水槽の低水位信号だけが主制御板に送られる。
【００３０】
以上の説明より本発明が屈折計及びブリックスカップの必要性を無くしたことが理解されたであろう。本発明は、より正確な比率管理を提供する。このディスペンサーは２種の飲料を同時に分配することができるが、モーター速度制御装置へのフィードバックを有する流量計を使用しない従来のディスペンサーはこれができない。
【００３１】
本発明の好ましい実施例が以上詳細に説明されたが、本発明の精神及び範囲から離れることなく変化及び変更をなし得ることを理解すべきである。
【００３２】
本発明の好ましい態様を整理して記載すれば、下記のとおりである。
１．（ａ）ハウジング、
（ｂ）氷水浴を保持するための前記ハウジング内の水浴タンク、
（ｃ）前記タンク内でアイスバンクを形成するための前記ハウジング内の冷凍システム、（ｄ）前記タンク内に置かれた水冷却用コイルを有する前記ハウジング内の水回路、
（ｅ）各が柔軟な分配用チューブを有する形式の取外し可能な濃縮液包装体の保持に適した複数の濃縮液包装体ステーションを備えた前記ハウジング内の濃縮液区画、
（ｆ）前記ハウジング内の複数の濃縮液圧送用ユニット、
（ｇ）各がエンコーダー付きの可変速ギヤヘッドモーターにより駆動される蠕動ポンプを有する前記濃縮液圧送用ユニット、
（ｈ）電磁弁／量水器組立体を有する前記水回路、
（ｉ）水対濃縮液の希望の比率を提供するために前記モーターの速度を変えるために前記量水器からの信号を受ける前記ハウジング内の制御システム、
（ｊ）前記区画内に置かれた濃縮液包装体の各の製品の希望の水対濃縮液比率を前記制御システム内に入力するための手段を具備し、
（ｋ）前記入力手段が、各濃縮包装体についての抜き出し可能な比率カード、前記濃縮液包装体ステーションの各に１個の対応した前記ハウジングの個別スロット、及び前記比率カードに記憶された比率を読み取るための手段を有する前記制御システムを備えるポストミックス式飲料ディスペンサー。
２． 前記ハウジングが、前記ハウジングにヒンジ止めされかつ前記区画への接近を与える前ドアを備え、そして前記スロットの各が対応した前記ステーションの前面の前記ドアの背面に置かれる上記１のディスペンサー。
３． 前記比率カードの各が、カードホルダー及び比率情報を有する取出し得る可撓性カードを備える上記２のディスペンサー。
４．前記比率情報が穴の形で前記カードに記憶される上記３のディスペンサー。
５．前記制御システムが前記ドアに取り付けられたＰＣ板を備え、比率を読み取るための前記手段が前記ＰＣ板に取り付けられかつこれより外に伸びている間隔を空けられたＩＲ送信ピンと受信ピンとの対の組を備え、そして前記スロットが前記比率カード上の前記穴を前記送信ピン及び受信ピンの対の間に位置決めするように置かれている上記４のディスペンサー。
６．（ａ）ハウジング、
（ｂ）氷水浴を保持するための前記ハウジング内の水浴タンク、
（ｃ）前記タンク内でアイスバンクを形成するための前記ハウジング内の冷凍システム、（ｄ）前記タンク内に置かれた水冷却用コイルを有する前記ハウジング内の水回路、
（ｅ）各が柔軟な分配用チューブを有する形式の取外し可能な濃縮液包装体の保持に適した複数の濃縮液包装体ステーションを備えた前記ハウジング内の濃縮液区画、
（ｆ）前記ハウジング内の複数の濃縮液圧送用ユニット、
（ｇ）エンコーダー付きの可変速ギヤヘッドモーターにより駆動される蠕動ポンプを有する前記濃縮液圧送用ユニット、
（ｈ）電磁弁／量水器組立体を有する前記水回路、
（ｉ）水対濃縮液の希望の比率を提供するために前記モーターの速度を変えるために前記
量水器からの信号を受けている前記ハウジング内の制御システム、
（ｊ）前記区画を冷却するためのシステムであって、前記区画内に置かれた区画冷却用コイル、前記区画冷却用コイルを通して前記区画内の空気を循環させるためのファン／モーターユニット、前記水浴タンク内のポンプ、前記ポンプから前記区画冷却用コイルに伸びている入口導水管及び前記区画冷却用コイルから前記タンクに伸びている出口導水管を備えた前記システムを具備し、
（ｋ）前記両導管が前記冷凍デッキの下方にあるか又は断熱材内に埋設され、これにより前記導水管はどちらも、前記タンク内に戻らずにどこかで凝結し結露し滴下させることがないポストミックス式飲料ディスペンサー。
７．（ａ）ハウジング、
（ｂ）氷水浴を保持するための前記ハウジング内の水浴タンク、
（ｃ）前記タンク内でアイスバンクを形成するための前記ハウジング内の冷凍システム、（ｄ）前記タンク内に置かれた水冷却用コイルを有する前記ハウジング内の水回路、
（ｅ）各が柔軟な分配用チューブを有する形式の取外し可能な濃縮液包装体の保持に適した複数の濃縮液包装体ステーションを備えた前記ハウジング内の濃縮液区画、
（ｆ）前記ハウジング内の複数の濃縮液圧送用ユニット、
（ｇ）各がエンコーダー付きの可変速ギヤヘッドモーターにより駆動される蠕動ポンプを有する前記濃縮液圧送用ユニット、
（ｈ）電磁弁／量水器組立体を有する前記水回路、
（ｉ）水対濃縮液の希望の比率を提供するために前記モーターの速度を変えるために前記量水器からの信号を受けている前記ハウジング内の制御システム、及び
（ｊ）前記水冷却用コイルからそれぞれの前記濃縮液圧送用ユニットに隣接した末端に伸びている複数の出口導水管路であって、前記出口導水管路の各がその全長を通じて前記水浴タンク、前記区画又は断熱体の中のいずれかを通って伸び、これにより前記全長が保冷される前記出口導水管路を具備したポストミックス式飲料ディスペンサー。
８．（ａ）ハウジング、
（ｂ）氷水浴を保持するための前記ハウジング内の水浴タンク、
（ｃ）前記タンク内でアイスバンクを形成するための前記ハウジング内の冷凍システム、（ｄ）前記タンク内に置かれた水冷却用コイルを有する前記ハウジング内の水回路、
（ｅ）各が柔軟な分配用チューブを有する形式の取外し可能な濃縮液包装体の保持に適した複数の濃縮液包装体ステーションを備えた前記ハウジング内の濃縮液区画、
（ｆ）前記ハウジング内の複数の濃縮液圧送用ユニット、
（ｇ）各がエンコーダー付きの可変速ギヤヘッドモーターにより駆動される蠕動ポンプを有する前記濃縮液圧送用ユニット、
（ｈ）電磁弁／量水器組立体を有する前記水回路、
（ｉ）水対濃縮液の希望の比率を提供するために前記モーターの速度を変えるために前記量水器からの信号を受けている前記ハウジング内の制御システム、及び
（ｊ）前記区画内に置かれた濃縮液包装体の各の製品の希望の水対濃縮液比率を前記制御システムに入力する手段を具備したポストミックス式飲料ディスペンサー。
【図面の簡単な説明】
【００３３】
【図１】図１は本発明のディスペンサーの正面右側の斜視図である。
【図２】図２は図１と同様であるがドアの空いている図である。
【図３】図３は図２と同様であるがＢＩＢ包装がＢＩＢ区画内に挿入されかつ比率カードがスロット内に挿入された図である。
【図４】図４は図１のディスペンサーを通る左側断面図である。
【図５】図５は本発明の圧送用ユニットの上前右側の斜視図である。
【図６】図６はチューブ案内の後方からの分解斜視図である。
【図７】図７はカバー７７を外した状態の本発明のノズルの平面図である。
【図８】図８は図７の線８−８に沿って得られた断面図である。
【図９】図９は図７の線９−９に沿って得られた断面図である。
【図１０】図１０は冷凍デッキの分解斜視図である。
【図１１】図１１は撹拌器の軸４９の部分側面図である。
【図１２】図１２は本発明の構造副組立体を通る正面断面図である。
【図１３】図１３は図１２の副組立体を通る側面断面図である。
【図１４】図１４は本発明によるＰＣ板の後方からの部分斜視図である。
【図１５】図１５はドアの下方部分を通る部分的な側面断面図である。
【図１６】図１６は本発明の比率カードの分解斜視図である。
【図１７】図１７はドアの分解斜視図である。
【図１８】図１８は電気的制御システムのブロック図である。
【図１９】図１９は電気的制御システムのブロック図である。
【符号の説明】
【００３４】
１０ デイスペンサー
１２ ハウジング
１３ 水浴タンク
１４ 冷凍システム
１６ 水回路
２０ 濃縮液包装体
３０ 前ドア
３４ 分配用ボタン
【図１】
2006044803.tif 000003
【図２】
2006044803.tif 000004
【図３】
2006044803.tif 000005
【図４】
2006044803.tif 000006
【図５】
2006044803.tif 000007
【図６】
2006044803.tif 000008
【図７】
2006044803.tif 000009
【図８】
2006044803.tif 000010
【図９】
2006044803.tif 000011
【図１０】
2006044803.tif 000012
【図１１】
2006044803.tif 000013
【図１２】
2006044803.tif 000014
【図１３】
2006044803.tif 000015
【図１４】
2006044803.tif 000016
【図１５】
2006044803.tif 000017
【図１６】
2006044803.tif 000018
【図１７】
2006044803.tif 000019
【図１８】
2006044803.tif 000020
【図１９】
2006044803.tif 000021